(57)【特許請求の範囲】
【請求項１】
煙感知部と、家庭用電源ラインからの電源供給を受けて点灯する通電表示灯を有した点灯制御回路と、デイタイマー手段とを備え、
上記点灯制御回路は、上記家庭用電源ラインより電源供給を受けているときには、上記通電表示灯を点灯保持する一方、上記煙感知部が動作したときには、所定の点滅モードで上記通電表示灯を点滅保持させ、上記デイタイマーの計時動作によって煙感知部の動作後、所定時間を経過すれば、上記通電表示灯を元の点灯保持状態に復帰させる構成としている家庭用防災感知器。
【請求項２】
熱感知部と、家庭用電源ラインからの電源供給を受けて点灯する通電表示灯を有した点灯制御回路と、デイタイマー手段とを備え、
上記点灯制御回路は、上記家庭用電源ラインより電源供給を受けているときには、上記通電表示灯を点灯保持する一方、上記熱感知部が動作したときには、所定の点滅モードで上記通電表示灯を点滅保持させ、上記デイタイマーの計時動作によって熱感知部の動作後、所定時間を経過すれば、上記通電表示灯を元の点灯保持状態に復帰させる構成としている家庭用防災感知器。
【請求項３】
請求項１または２において、
復旧スイッチをさらに備えており、
上記点灯制御回路は、上記復旧スイッチの操作によっても、上記通電表示灯を、点滅状態から元の点灯保持状態に復帰させる構成としている家庭用防災感知器。
【発明の詳細な説明】
【０００１】
【発明の属する技術分野】
本発明は、家庭用電源ラインから直接電源を供給して、火災などを検知し警報信号を出力できるようにした家庭用防災感知器に関する。
【０００２】
【従来の技術】
近時、家庭用電源から直接電源を供給して、火災のときの煙あるいは温度上昇などを検知し警報信号を出力できるようにした家庭用防災感知器が使用されるようになっている。
【０００３】
【発明が解決しようとする課題】
ところが、このような家庭用防災感知器においては、火災のときの煙あるいは温度上昇などを検知したことを記憶する手段が備えられていないため、後に動作確認をする場合などに問題があった。
このような問題を解決するため、煙あるいは温度上昇を検知した結果を表示灯を点灯保持させて報知する構成にすることはできるが、いたずらに表示灯を点灯保持させると、この表示灯の点灯の意味が分からないユーザーに対して不安感を与えてしまうという問題がある。
【０００４】
本発明は、上記従来の問題に鑑みてなされたものであって、留守をしていた後に帰宅したときに、留守中に煙あるいは温度上昇などを検知して警報信号を出力したことが分かり、しかもユーザーに必要以上に不安感を与えることがない家庭用防災感知器を提供することを目的としている。
【０００５】
【課題を解決するための手段】
本発明は、上記目的を達成するために提案されたものであって、請求項１の家庭用防災感知器は、煙感知部と、家庭用電源ラインからの電源供給を受けて点灯する通電表示灯を有した点灯制御回路と、デイタイマー手段とを備え、上記点灯制御回路は、上記家庭用電源ラインより電源供給を受けているときには、上記通電表示灯を点灯保持する一方、上記煙感知部が動作したときには、所定の点滅モードで上記通電表示灯を点滅保持させ、上記デイタイマーの計時動作によって煙感知部の動作後、所定時間を経過すれば、上記通電表示灯を元の点灯保持状態に復帰させる構成としている。
【０００６】
請求項２の家庭用防災感知器は、熱感知部と、家庭用電源ラインからの電源供給を受けて点灯する通電表示灯を有した点灯制御回路と、デイタイマー手段とを備え、上記点灯制御回路は、上記家庭用電源ラインより電源供給を受けているときには、上記通電表示灯を点灯保持する一方、上記熱感知部が動作したときには、所定の点滅モードで上記通電表示灯を点滅保持させ、上記デイタイマーの計時動作によって熱感知部の動作後、所定時間を経過すれば、上記通電表示灯を元の点灯保持状態に復帰させる構成としている。
【０００７】
請求項３の家庭用防災感知器は、請求項１または２において、復旧スイッチをさらに備えており、上記点灯制御回路は、上記復旧スイッチの操作によっても、上記通電表示灯を点滅状態から元の点灯保持状態に復帰させる構成としている。
【０００９】
【発明の実施の形態】
以下、本発明に係る家庭用防災感知器の実施の形態について、図を参照しつつ説明する。
図１は、本発明の家庭用防災感知器の内部構成を示すブロック図である。この家庭用防災感知器１は、主として戸建て住宅等の室内に設置されるものであり、火災、温度上昇などの異常を検知し判別するセンサー部２と、家庭用電源ラインからの電源供給を受けるため、差込みプラグ６を備えた電源回路７と、ＣＰＵで構成された制御部８と、通電表示灯３を有した点灯制御回路４と、復旧スイッチ５と、スピーカＳＰを有し、異常検知時に鳴動するアラーム回路９を備えている。
ここに、点灯制御回路４は、家庭用電源ラインより電源供給を受けているときには、通電表示灯３を点灯保持する一方、センサー部２が動作したときには、復旧スイッチ５が操作されるまでの期間、所定の点滅モードで点滅保持する構成となっている。
【００１０】
図２は、家庭用防災感知器（第１例）１の回路ブロック図であって、家庭用電源ラインから差込みプラグ６によって給電を受けた１００Ｖの電圧は例えば１５Ｖ程度の電圧に降圧されてトランス１１によって制御部（ＣＰＵ）８を含む各部に給電されている。
この制御部（ＣＰＵ）８には、光電式煙感知器となるセンサー部２を構成する光センサーの投光部２ａと受光部２ｂとが接続され、更に、通電表示灯３と、ブザー９Ａを有したアラーム回路９と、点灯制御回路４を構成する通電表示灯３を点滅させるための点滅発振回路４Ａと、押釦５Ａからなる復旧スイッチ５とが、接続されている。
【００１１】
このような家庭用防災感知器１は、例えば、図３に示す煙感知器１Ａや図４に示す熱感知器１Ｂとして使用され、天井面や壁面に取付けて使用されるが、ガス漏れ警報器に適用してもよい。
図３に示す煙感知器１Ａは、感知器本体１ａの表面に、煙感知部２Ａからなるセンサー部２を突出して設け、更に、アラームを出力するブザー９Ａと、ＬＥＤからなる通電表示灯３と、押釦スイッチ５Ａからなる復旧スイッチ５とを本体部に設けており、感知器本体１ａの前面には、電源ラインから給電を受けるための差し込みプラグ６、復旧スイッチ５に取付けた引き紐５Ｂとを設けている。尚、押釦スイッチ５Ａと引き紐５Ｂとは、感知器本体１ａの取付け状態（天井面や壁面）によって、選択的に使用する。
【００１２】
図４に示す熱感知器１Ｂは、感知器本体１ｂの表面に、熱感知部２Ｂからなるセンサー部２を突出して設け、アラームを出力するブザー９Ａ、ＬＥＤからなる通電表示灯３、押釦スイッチ５Ａからなる復旧スイッチ５を設け、感知器本体１ｂの前面には、電源ラインから給電を受けるための差し込みプラグ６、復旧スイッチに取付けた引き紐５Ｂとを設けている。
【００１３】
熱感知部２Ｂは、定温式、差動式などの種々の方式で火災感知ができるようになっている。
図５のフローチャートは、家庭用防災感知器１の基本動作を示すものであり、次にその基本動作について説明する。
差し込みプラグ６を家庭用電源のコンセントに接続すると、電源回路７を経て制御部（ＣＰＵ）８を含む各部に給電され、通電表示灯３が点灯保持される。
【００１４】
制御部（ＣＰＵ）８は、煙感知部２Ａからなるセンサー部２が、煙を検知したかどうかを常時判別しており、このセンサー部２で煙が感知されると、アラーム回路９が作動しアラームが出力される。
そして、アラーム９が鳴動している最中に、復旧スイッチ５がオンされると、感知器は元の状態に復帰され、通電表示灯３は点灯を保持するが、アラームが鳴動し、通電表示灯３は所定の点滅モードで点滅保持されるが、アラームは所定時間鳴動した後停止する（以上ステップ１００〜１０８）。
【００１５】
ここに、所定の点滅モードは、一見すれば点滅は見えないが、凝視すれば確認できる程度の間隔で点灯を消灯させるなどの方法が採用され、例えば約１５秒〜６０秒に１回程度瞬時に消灯を行えば、住戸人には、それほど目立たないため、不安感を与えることなく発報したことが確認できる。
このような構成によれば、エンドユーザーが分からなくても、特定のメンテナンス業者が見れば、不在中などに室内で作動した（非火災発報）ことが分かり、これを確認した後、復旧スイッチ５をオンさせると、通電表示灯３は通常の点灯状態に復帰できる。
【００１６】
このように、ユーザーは、作動したことが分からなくても、特定のメンテナンス業者が通電表示灯３の点滅状態を見れば分かるので、家庭用防災感知器１が正常に動作していることを確認することができ作動状態に不安を抱くことがない。
図６は、家庭用防災感知器（第２例）１０を示すものであって、この家庭用防災感知器１０は、火災、温度上昇などの異常を検知し判別するセンサー部２の他、復旧スイッチ５に代えてデイタイマー手段１３を備えている点以外は、第１例とほとんど同じ構成となっている。
【００１７】
ここに、デイタイマー手段１１はその計時動作によってセンサー部２が動作し、通電表示灯３を点滅させ、その点滅動作が所定時間（例えば約１〜２日）を経過すれば、自動的に元の通電表示モードに復帰するために設けてある。
図７は第２例の家庭用防災感知器１０の基本動作をフローチャートをもって示す。
【００１８】
煙感知部２Ａからなるセンサー部２で煙が感知されると、アラームが出力され、通電表示灯３が点滅表示され、デイタイマー手段１３がセットされる。
このアラームが出力している最中に、復旧スイッチ５がオンされると、感知器１０は元の状態に復帰されて、通電表示灯３を点灯保持する状態に戻る。
アラームが所定時間鳴動し、タイムアップすると、今度はデイタイマー手段１３がタイムアップするまで通電表示灯３は所定の点滅モードで点滅されるが、デイタイマー手段１３がタイムアップすると、通電表示灯３は、元の状態の点灯表示に復帰し、デイタイマー手段１３もリセットされる（以上ステップ２００〜２１１）。
【００１９】
尚、上記フローチャートにおいては、デイタイマー手段の他に復旧スイッチを付加した家庭用防災感知器の基本動作について説明したが、この復旧スイッチは必ずしも必要ではなく、デイタイマー手段１３だけで、通電表示灯３の点滅状態を所定の時間が経過した後に、点灯表示に復帰させるようにしてもよい。復旧スイッチを設けたものでは、このスイッチ５を操作することで、迅速に点滅モードを解除でき、復旧スイッチを設けない場合は、構造を簡単にできる。
【００２０】
【発明の効果】
以上説明したように、請求項１あるいは請求項２の家庭用防災感知器によれば、煙感知部あるいは熱感知部で構成されるセンサー部が煙あるいは熱を検知したときには、通電表示灯が通電状態の点灯表示から点滅表示に変更するので、センサー部が動作したことを正確に視認することができる。
【００２１】
また、発報を記憶させる手段として、通電表示灯を用いており、通電表示灯を点灯状態から所定の点滅モードに変更させる構成であるため、構造が簡単で外観もスマートにできる。
さらに、デイタイマー手段で、通電表示灯を所定時間点滅させる構成なので、復旧スイッチを必要とせず構造を簡単化することができる。
【００２２】
請求項３の家庭用防災感知器によれば、復旧スイッチをさらに設けているので、スイッチ操作により、迅速に点滅モードを解除することができる。
【図面の簡単な説明】
【図１】本発明に係る家庭用防災感知器の第１例の内部構造を示すブロック図である。
【図２】第１例の家庭用防災感知器の回路ブロック図である。
【図３】家庭用防災感知器が煙感知器で構成されている場合の斜視図である。
【図４】家庭用防災感知器が熱感知器で構成されている場合の斜視図である。
【図５】第１例の家庭用防災感知器の基本動作を示すフローチャートである。
【図６】第２例の家庭用防災感知器の内部構造を示すブロック図である。
【図７】第２例の家庭用防災感知器の基本動作を示すフローチャートである。
【符号の説明】
１            家庭用防災感知器
１Ａ          煙感知器
１Ｂ          熱感知器
２            センサー部
２Ａ          煙感知部
２Ｂ          熱感知部
３            通電表示灯
４            点灯制御回路
５            復旧スイッチ
５Ａ          押釦スイッチ
５Ｂ          引き紐
１０          家庭用防災感知器
１３          デイタイマー手段
【図１】
0003582258.tif 000002
【図２】
0003582258.tif 000003
【図３】
0003582258.tif 000004
【図４】
0003582258.tif 000005
【図５】
0003582258.tif 000006
【図６】
0003582258.tif 000007
【図７】
0003582258.tif 000008